(57)【要約】【課題】クライアントに配信した帳票が印刷される回数をサーバ側で管理または制御する方法を提供する。【解決手段】一元管理したいデータのＵＲＩを埋め込んだ帳票データをクライアントに配信する手段を有するサーバと、サーバから配信された帳票データをプリンタに送信する手段を有するクライアントと、クライアントから受け取った帳票データに含まれるＵＲＩを解釈し、該ＵＲＩからデータをプルして帳票データとマージさせた後、該帳票データの印刷を行う手段を有するプリンタで構成されることを特徴とする印刷システム。【選択図】        図１
2006259989.tif 000002
【特許請求の範囲】
【請求項１】
帳票データを生成、編集する帳票生成編集手段と、
前記帳票生成編集手段によって編集された帳票をデータ保存する帳票データ保存手段と、
前記帳票生成編集手段によって編集される帳票データの構成フォーム情報群の内の一つである該サーバ装置で一元管理したい或るフォーム情報のデータを、前記帳票データ保存手段によって保存される帳票データとは別のフォーム情報データとして別に保存するサーバ一元管理フォーム情報保存手段と、
前記サーバ一元管理フォーム情報保存手段によって保存されたデータのインターネット上での場所を指し示すＵＲＩのデータを、前記保存された実データに代替して該フォーム情報のデータとして用いる一元管理フォーム情報データＵＲＩ代替手段と、
クライアント装置からの帳票配信要求を受け付ける帳票配信クライアント要求受信手段と、
前記帳票配信クライアント要求受信手段によって帳票配信要求を受信した際、所定の帳票を、要求元のクライアント装置に配信する帳票データサーバ配信手段と、
クライアント装置からの前記ＵＲＩによる該帳票リソースへのアクセス要求を受け付ける帳票リソースアクセス受信手段と、
前記帳票リソースアクセス受信手段によって所定の帳票リソースへのアクセスを受信した際、該アクセス先のデータを１加算する帳票リソースアクセスデータ加算手段と、
前記帳票リソースアクセスデータ加算手段によって値を１加算したデータを、アクセス元のクライアント装置に渡す帳票リソース提供手段と
を備えることを特徴とするサーバ装置。
【請求項２】
サーバ装置に帳票配信を要求する帳票配信サーバ要求手段と、
前記帳票配信サーバ要求手段によってサーバ装置から配信された帳票データを構成するフォーム情報群の解析を行うフォーム情報群解析手段と、
前記フォーム情報群解析手段によって解析されたフォーム情報群に該データがＵＲＩであるフォーム情報が含まれていることが検知された際、
該フォーム情報のＵＲＩデータが指し示すインターネット上の場所から、該情報リソースを取得する情報リソースＵＲＩ取得手段と、
前記情報リソースＵＲＩ取得手段によって取得した情報リソースで、前記フォーム情報のＵＲＩデータを置き換えるＵＲＩフォーム情報置換手段と、
前記ＵＲＩフォーム情報置換手段によってＵＲＩデータを実データで置き換えたフォーム情報及び該他のフォーム情報をラスタライズするフォーム情報ラスタライズ手段と、
前記フォーム情報ラスタライズ手段によってラスタライズしたデータを表示する帳票ラスタライズデータ表示手段と、
前記フォーム情報ラスタライズ手段によってラスタライズしたデータの印刷を行う際、前記ラスタライズデータを出力装置に送信する帳票ラスタライズデータ出力手段と
を備えることを特徴とするクライアント装置。
【請求項３】
請求項１記載のサーバ装置、請求項２記載のクライアント装置で構成されることを特徴とする印刷システム。
【請求項４】
サーバ装置に帳票配信を要求する帳票配信サーバ要求手段と、
前記帳票配信サーバ要求手段によってサーバ装置から配信された帳票データを構成するフォーム情報群の解析を行うフォーム情報群解析手段と、
前記フォーム情報群解析手段によって解析されたフォーム情報群に該データがＵＲＩであるフォーム情報が含まれていることが検知された際、
該フォーム情報を前記フォーム情報群から割愛するＵＲＩフォーム情報割愛手段と、
前記ＵＲＩフォーム情報割愛手段によって割愛されたフォーム情報群以外の他のフォーム情報群をラスタライズするフォーム情報ラスタライズ手段と、
前記フォーム情報ラスタライズ手段によってラスタライズしたデータを表示する帳票ラスタライズデータ表示手段と、
前記フォーム情報ラスタライズ手段によってラスタライズしたデータの印刷を行う際、前記サーバ装置から配信された帳票データを出力装置に送信するサーバ帳票データ出力手段と
を備えることを特徴とするクライアント装置。
【請求項５】
クライアント装置からの帳票印刷の要求を受け付ける帳票印刷クライアント要求受信手段と、
前記帳票印刷クライアント要求受信手段による要求受信時に、該要求先から印刷データとして帳票データを受け付けるクライアント帳票データ受信手段と、
前記クライアント帳票データ受信手段によって受信した帳票データを構成するフォーム情報群の解析を行うフォーム情報群解析手段と、
前記フォーム情報群解析手段によって解析されたフォーム情報群に該データがＵＲＩであるフォーム情報が含まれていることが検知された際、
該フォーム情報のＵＲＩデータが指し示すインターネット上の場所から、該情報リソースを取得するＵＲＩ情報リソース取得手段と、
前記ＵＲＩ情報リソース取得手段によって取得した情報リソースで、前記フォーム情報のＵＲＩデータを置き換えるＵＲＩフォーム情報置換手段と、
前記ＵＲＩフォーム情報置換手段によってデータが置き換えられたフォーム情報及び該他のフォーム情報をラスタライズするフォーム情報ラスタライズ手段と、
前記フォーム情報ラスタライズ手段によってラスタライズしたデータの印刷を行う帳票ラスタライズデータ印刷手段と、
を備えることを特徴とする出力装置。
【請求項６】
請求項１記載のサーバ装置、請求項４記載のクライアント装置、請求項５記載の出力装置で構成されることを特徴とする印刷システム。
【請求項７】
帳票データを生成、編集する帳票生成編集手段と、
前記帳票生成編集手段によって編集された帳票をデータ保存する帳票データ保存手段と、
前記帳票生成編集手段によって編集される帳票データの構成フォーム情報群の内の一つである該サーバ装置で一元管理したい或るフォーム情報のデータを、前記帳票データ保存手段によって保存される帳票データとは別のフォーム情報データとして別に保存するサーバ一元管理フォーム情報保存手段と、
前記サーバ一元管理フォーム情報保存手段によって保存されたデータのインターネット上での場所を指し示すＵＲＩのデータを、前記保存された実データに代替して該フォーム情報のデータとして用いる一元管理フォーム情報データＵＲＩ代替手段と、
クライアント装置からの帳票配信要求を受け付ける帳票配信クライアント要求受信手段と、
前記帳票配信クライアント要求受信手段によって帳票配信要求を受信した際、配信予定の帳票データを構成するフォーム情報群の解析を行うフォーム情報群解析手段と、
前記フォーム情報群解析手段によって解析されたフォーム情報群に該データがＵＲＩであるフォーム情報が含まれていることが検知された際、
該ＵＲＩが指し示す、インターネット上の場所にある該サーバ装置の該帳票リソースのデータを１加算する帳票リソースデータ加算手段と、
前記帳票リソースデータ加算手段によって値を１加算したデータを、クライアント装置からアクセス可能な場所にコピーして置いておく帳票リソースデータコピー公開手段と、
前記帳票リソースデータコピー公開手段によってコピーして置かれたデータのＵＲＩを、前記フォーム情報のＵＲＩデータと入れ替えるＵＲＩデータ入替手段と、
前記ＵＲＩデータ入替手段によってＵＲＩデータが別のＵＲＩデータに入れ替えられたフォーム情報を含む帳票データを該要求元のクライアント装置に配信する帳票データサーバ配信手段と、
前記入れ替えられたＵＲＩによるクライアント装置からの前記帳票リソースへのアクセス要求を受け付ける帳票リソースアクセス受信手段と、
前記帳票リソースアクセス受信手段によって所定のコピー帳票リソースへのアクセスを受信した際、該アクセス先にあるコピーデータを、アクセス元のクライアント装置に渡すコピー帳票リソースクライアント提供手段と、
前記コピー帳票リソースクライアント提供手段によってコピーデータをクライアント装置に渡した後、該コピーデータを該ＵＲＩの場所から削除するコピー帳票リソース削除手段と
を備えることを特徴とするサーバ装置。
【請求項８】
請求項７記載のサーバ装置、請求項４記載のクライアント装置、請求項５記載の出力装置で構成されることを特徴とする印刷システム。
【発明の詳細な説明】
【技術分野】
【０００１】
本発明は、ローカルネットワークやインターネットに接続されたクラインアントコンピュータと、クラインアントコンピュータからのデータ要求に従い所定の帳票データをクラインアントに配信するサーバコンピュータとで構成される帳票印刷システム、または前記サーバコンピュータ及び前記クラインアントコンピュータに加え、前記クラインアントコンピュータからの印刷要求に従い、受信したデータを印刷するプリンタなどの出力装置で構成される帳票印刷システムに係わるサーバ装置、クライアント装置、印刷システムおよび出力装置に関する。
【背景技術】
【０００２】
従来、ローカルネットワークやインターネットに接続された帳票表示印刷プログラムを有するクラインアントコンピュータは、同ネットワークに接続されたサーバコンピュータに同ネットワークを介して帳票の配信を要求し、該要求を受信したサーバコンピュータは該要求に応え、所定の帳票ページを該クラインアントコンピュータに配信していた。更に、前記クラインアントコンピュータの帳票表示印刷プログラムは、サーバコンピュータから配信された前記帳票データを印刷する際には、該帳票データを所定のＰＤＬ（プリンタ記述言語）に変換し、所定のプリンタに印刷データとして送信していた。
【特許文献１】特開２００３−３４５５４０号公報
【発明の開示】
【発明が解決しようとする課題】
【０００３】
ところが、従来では、前記サーバコンピュータから前記クラインアントコンピュータに帳票データが配信された際、該サーバコンピュータは、該クラインアントコンピュータの帳票表示印刷プログラムが該配信された帳票データを所定のプリンタに対して印刷指示を行った回数を把握することができなかった。またかつ、該サーバコンピュータは、該クラインアントコンピュータの帳票表示印刷プログラムが該配信された帳票データを所定のプリンタで何度も再印刷することを禁止することができなかった。
【０００４】
その際たる例として、サーバコンピュータが配信する帳票データに、該データが物理メディアとして印刷された回数を示す、全体における発行番号を示す通し番号のデータが含まれていた場合、該帳票データが複数のクラインアントコンピュータに配信され、各クラインアントコンピュータで該帳票データが印刷指示された際、それらの印刷回数と該通し番号の番号数が必ずしも一致しないという結果が引き起こされていた。すなわち、アクセスがあったクラインアントコンピュータの順に該帳票データに通し番号を割り付けたサーバコンピュータは、該帳票データを各クラインアントコンピュータに配信し、該各クラインアントコンピュータで何度も該帳票データが印刷指示された際、同一の通し番号を持つ帳票が、印刷指示の回数分物理メディアとして生成されてしまうという問題があった。
【０００５】
このような場合、望むべくは、各クラインアントコンピュータでの印刷指示毎に、その時点での全体における通し番号が該帳票に割り当てられるか、もしくはあるクラインアントコンピュータに配信された帳票が、該クラインアントコンピュータデータだ一度だけ印刷可能なようサーバコンピュータで制限するというようなことであった。
【０００６】
本発明は、上記の問題点を解決するためになされたものであり、サーバコンピュータからクライアントコンピュータに配信された帳票データの印刷回数を、サーバコンピュータ側で管理または制御する方法に係わるサーバ装置、クライアント装置、印刷システムおよび出力装置を提供するものである。
【課題を解決するための手段】
【０００７】
上記目的を達成する本発明の印刷システムは以下に示す構成を備える。即ち、
本発明のサーバ装置は、
帳票データを生成、編集する帳票生成編集手段と、
前記帳票生成編集手段によって編集された帳票をデータ保存する帳票データ保存手段と、
前記帳票生成編集手段によって編集される帳票データの構成フォーム情報群の内の一つである該サーバ装置で一元管理したい或るフォーム情報のデータを、前記帳票データ保存手段によって保存される帳票データとは別のフォーム情報データとして別に保存するサーバ一元管理フォーム情報保存手段と、
前記サーバ一元管理フォーム情報保存手段によって保存されたデータのインターネット上での場所を指し示すＵＲＩのデータを、前記保存された実データに代替して該フォーム情報のデータとして用いる一元管理フォーム情報データＵＲＩ代替手段と、
クライアント装置からの帳票配信要求を受け付ける帳票配信クライアント要求受信手段と、
前記帳票配信クライアント要求受信手段によって帳票配信要求を受信した際、所定の帳票を、要求元のクライアント装置に配信する帳票データサーバ配信手段と、
クライアント装置からの前記ＵＲＩによる該帳票リソースへのアクセス要求を受け付ける帳票リソースアクセス受信手段と、
前記帳票リソースアクセス受信手段によって所定の帳票リソースへのアクセスを受信した際、該アクセス先のデータを１加算する帳票リソースアクセスデータ加算手段と、
前記帳票リソースアクセスデータ加算手段によって値を１加算したデータを、アクセス元のクライアント装置に渡す帳票リソース提供手段と、
を備える。
【０００８】
本発明のクライアント装置は、
サーバ装置に帳票配信を要求する帳票配信サーバ要求手段と、
前記帳票配信サーバ要求手段によってサーバ装置から配信された帳票データを構成するフォーム情報群の解析を行うフォーム情報群解析手段と、
前記フォーム情報群解析手段によって解析されたフォーム情報群に該データがＵＲＩであるフォーム情報が含まれていることが検知された際、
該フォーム情報のＵＲＩデータが指し示すインターネット上の場所から、該情報リソースを取得する情報リソースＵＲＩ取得手段と、
前記情報リソースＵＲＩ取得手段によって取得した情報リソースで、前記フォーム情報のＵＲＩデータを置き換えるＵＲＩフォーム情報置換手段と、
前記ＵＲＩフォーム情報置換手段によってＵＲＩデータを実データで置き換えたフォーム情報及び該他のフォーム情報をラスタライズするフォーム情報ラスタライズ手段と、
前記フォーム情報ラスタライズ手段によってラスタライズしたデータを表示する帳票ラスタライズデータ表示手段と、
前記フォーム情報ラスタライズ手段によってラスタライズしたデータの印刷を行う際、前記ラスタライズデータを出力装置に送信する帳票ラスタライズデータ出力手段と、
を備える。
【０００９】
もしくは、上記目的を達成する本発明の印刷システムは、前記サーバ装置に加え、以下に示す構成を備える。即ち、
本発明のクライアント装置は、
サーバ装置に帳票配信を要求する帳票配信サーバ要求手段と、
前記帳票配信サーバ要求手段によってサーバ装置から配信された帳票データを構成するフォーム情報群の解析を行うフォーム情報群解析手段と、
前記フォーム情報群解析手段によって解析されたフォーム情報群に該データがＵＲＩであるフォーム情報が含まれていることが検知された際、
該フォーム情報を前記フォーム情報群から割愛するＵＲＩフォーム情報割愛手段と、
前記ＵＲＩフォーム情報割愛手段によって割愛されたフォーム情報群以外の他のフォーム情報群をラスタライズするフォーム情報ラスタライズ手段と、
前記フォーム情報ラスタライズ手段によってラスタライズしたデータを表示する帳票ラスタライズデータ表示手段と、
前記フォーム情報ラスタライズ手段によってラスタライズしたデータの印刷を行う際、前記サーバ装置から配信された帳票データを出力装置に送信するサーバ帳票データ出力手段と、
を備える。
【００１０】
本発明の出力装置は、
クライアント装置からの帳票印刷の要求を受け付ける帳票印刷クライアント要求受信手段と、
前記帳票印刷クライアント要求受信手段による要求受信時に、該要求先から印刷データとして帳票データを受け付けるクライアント帳票データ受信手段と、
前記クライアント帳票データ受信手段によって受信した帳票データを構成するフォーム情報群の解析を行うフォーム情報群解析手段と、
前記フォーム情報群解析手段によって解析されたフォーム情報群に該データがＵＲＩであるフォーム情報が含まれていることが検知された際、
該フォーム情報のＵＲＩデータが指し示すインターネット上の場所から、該情報リソースを取得するＵＲＩ情報リソース取得手段と、
前記ＵＲＩ情報リソース取得手段によって取得した情報リソースで、前記フォーム情報のＵＲＩデータを置き換えるＵＲＩフォーム情報置換手段と、
前記ＵＲＩフォーム情報置換手段によってデータが置き換えられたフォーム情報及び該他のフォーム情報をラスタライズするフォーム情報ラスタライズ手段と、
前記フォーム情報ラスタライズ手段によってラスタライズしたデータの印刷を行う帳票ラスタライズデータ印刷手段と、
を備える。
【００１１】
もしくは、上記目的を達成する本発明の印刷システムは、前記クライアント装置、出力装置に加え、以下に示す構成を備える。即ち、
本発明のサーバ装置は、
帳票データを生成、編集する帳票生成編集手段と、
前記帳票生成編集手段によって編集された帳票をデータ保存する帳票データ保存手段と、
前記帳票生成編集手段によって編集される帳票データの構成フォーム情報群の内の一つである該サーバ装置で一元管理したい或るフォーム情報のデータを、前記帳票データ保存手段によって保存される帳票データとは別のフォーム情報データとして別に保存するサーバ一元管理フォーム情報保存手段と、
前記サーバ一元管理フォーム情報保存手段によって保存されたデータのインターネット上での場所を指し示すＵＲＩのデータを、前記保存された実データに代替して該フォーム情報のデータとして用いる一元管理フォーム情報データＵＲＩ代替手段と、
クライアント装置からの帳票配信要求を受け付ける帳票配信クライアント要求受信手段と、
前記帳票配信クライアント要求受信手段によって帳票配信要求を受信した際、配信予定の帳票データを構成するフォーム情報群の解析を行うフォーム情報群解析手段と、
前記フォーム情報群解析手段によって解析されたフォーム情報群に該データがＵＲＩであるフォーム情報が含まれていることが検知された際、
該ＵＲＩが指し示す、インターネット上の場所にある該サーバ装置の該帳票リソースのデータを１加算する帳票リソースデータ加算手段と、
前記帳票リソースデータ加算手段によって値を１加算したデータを、クライアント装置からアクセス可能な場所にコピーして置いておく帳票リソースデータコピー公開手段と、
前記帳票リソースデータコピー公開手段によってコピーして置かれたデータのＵＲＩを、前記フォーム情報のＵＲＩデータと入れ替えるＵＲＩデータ入替手段と、
前記ＵＲＩデータ入替手段によってＵＲＩデータが別のＵＲＩデータに入れ替えられたフォーム情報を含む帳票データを該要求元のクライアント装置に配信する帳票データサーバ配信手段と、
前記入れ替えられたＵＲＩによるクライアント装置からの前記帳票リソースへのアクセス要求を受け付ける帳票リソースアクセス受信手段と、
前記帳票リソースアクセス受信手段によって所定のコピー帳票リソースへのアクセスを受信した際、該アクセス先にあるコピーデータを、アクセス元のクライアント装置に渡すコピー帳票リソースクライアント提供手段と、
前記コピー帳票リソースクライアント提供手段によってコピーデータをクライアント装置に渡した後、該コピーデータを該ＵＲＩの場所から削除するコピー帳票リソース削除手段と、
を備える。
【００１２】
［作用］
かかる構成において、前記サーバ装置のサーバ一元管理フォーム情報保存手段により、サーバ装置で一元管理したい、帳票データ内の或るフォーム情報の実データを帳票データとは別に保存し、前記一元管理フォーム情報データＵＲＩ代替手段により、該別保存されたフォーム情報データのＵＲＩで該帳票データのフォーム情報の実データを代替し、該ＵＲＩデータで実データが代替されたフォーム情報を含む帳票データを、前記帳票配信クライアント要求受信手段によって帳票配信要求が受信された要求元の前記クライアント装置に、前記帳票データサーバ配信手段を用いて配信する。
【００１３】
前記クライアント装置の前記帳票配信サーバ要求手段によって前記サーバ装置に要求した帳票の配信を受けた前記クライアント装置は、該帳票を構成するフォーム情報群の解析を、前記フォーム情報群解析手段によって行い、該解析によって該帳票のフォーム情報群の或るフォーム情報のデータがＵＲＩであることが検知された際、前記ＵＲＩ情報リソース取得手段によって該ＵＲＩが指し示す情報リソースを前記サーバ装置から取得する。
【００１４】
前記クライアント装置のＵＲＩ情報リソース取得手段による前記サーバ装置の情報リソースへのアクセス時、前記サーバ装置は前記帳票リソースアクセス受信手段によってクライアントからの該アクセス要求を受け付け、前記帳票リソースアクセスデータ加算手段によって該アクセス先にあるデータを１加算し、前記帳票リソース提供手段によって該データをアクセス元のクライアント装置に渡す。
【００１５】
前記サーバ装置から前記情報リソースを取得した前記クライアント装置は、該情報リソースを前記フォーム情報の実データとして、前記ＵＲＩフォーム情報置換手段により前記ＵＲＩデータと置き換え、前記フォーム情報ラスタライズ手段によって該フォーム情報および該他のフォーム情報をラスタライズし、該ラスタライズデータを前記帳票ラスタライズデータ表示手段によってディスプレイ表示する。更に、該データに対する印刷指示があった際には、前記ラスタライズ結果のデータを、前記帳票ラスタライズデータ出力手段によって出力装置に送信する。
【００１６】
以上の手続きにより、サーバ装置がクライアント装置に配信した帳票データをクライアント装置が印刷する回数を、サーバ装置側で管理することが可能になる。
【００１７】
また、かかる構成において、前記サーバ装置のサーバ一元管理フォーム情報保存手段により、サーバ装置で一元管理したい、帳票データ内の或るフォーム情報の実データを帳票データとは別に保存し、前記一元管理フォーム情報データＵＲＩ代替手段により、該別保存されたフォーム情報データのＵＲＩで該帳票データのフォーム情報の実データを代替し、該ＵＲＩデータで実データが代替されたフォーム情報を含む帳票データを、前記帳票配信クライアント要求受信手段によって帳票配信要求が受信された要求元の前記クライアント装置に、前記帳票データサーバ配信手段を用いて配信する。
【００１８】
前記クライアント装置の前記帳票配信サーバ要求手段によって前記サーバ装置に要求した帳票の配信を受けた前記クライアント装置は、該帳票を構成するフォーム情報群の解析を、前記フォーム情報群解析手段によって行い、該解析によって該帳票のフォーム情報群の或るフォーム情報のデータがＵＲＩであることが検知された際、前記ＵＲＩフォーム情報割愛手段によって該フォーム情報の処理を割愛し、データがＵＲＩではない該他のフォーム情報を前記フォーム情報ラスタライズ手段によってラスタライズする。更に、該データに対する印刷指示があった際には、前記サーバ装置から配信された帳票を前記サーバ帳票データ出力手段を用いて出力装置に送信する。
【００１９】
前記クライアント装置から、前記帳票印刷クライアント要求受信手段によって帳票印刷の要求を受け取った前記出力装置は、前記クライアント帳票データ受信手段によって同クライアント装置から印刷データとして帳票データを受け取る。前記出力装置は、前記フォーム情報群解析手段によって該帳票データを構成するフォーム情報群の解析を行い、該フォーム情報群のいずれかに該データがＵＲＩであるフォーム情報が含まれている場合、該フォーム情報のＵＲＩデータが指し示すインターネット上の場所から、前記ＵＲＩ情報リソース取得手段によって該情報リソースを取得する。
【００２０】
前記出力装置のＵＲＩ情報リソース取得手段による前記サーバ装置の情報リソースへのアクセス時、前記サーバ装置は前記帳票リソースアクセス受信手段によってクライアントからの該アクセス要求を受け付け、前記帳票リソースアクセスデータ加算手段によって該アクセス先にあるデータを１加算し、前記帳票リソース提供手段によって該データをアクセス元の出力装置に渡す。
【００２１】
前記サーバ装置から前記情報リソースを取得した前記出力装置は、該情報リソースを前記フォーム情報の実データとして、前記ＵＲＩフォーム情報置換手段により前記ＵＲＩデータと置き換え、前記フォーム情報ラスタライズ手段によって該フォーム情報および該他のフォーム情報をラスタライズし、ラスタライズデータを前記帳票ラスタライズデータ印刷手段によって印刷する。
【００２２】
以上の手続きにより、サーバ装置がクライアント装置に配信した帳票データをクライアント装置が印刷する回数を、サーバ装置側で管理することが可能になる。
【００２３】
更にまた、かかる構成において、前記サーバ装置のサーバ一元管理フォーム情報保存手段により、サーバ装置で一元管理したい、帳票データ内の或るフォーム情報の実データを帳票データとは別に保存し、前記一元管理フォーム情報データＵＲＩ代替手段により、該別保存されたフォーム情報データのＵＲＩで該帳票データのフォーム情報の実データを代替し、該ＵＲＩデータで実データが代替されたフォーム情報を含む帳票データが、前記帳票配信クライアント要求受信手段によって配信要求を受けた要求元の前記クライアント装置に配信される場合、前記フォーム情報群解析手段によって該帳票データを構成するフォーム情報群に該データがＵＲＩであるフォーム情報が含まれていることが検知されるため、該ＵＲＩが指し示す場所に置かれている前記フォーム情報の実データの値を、前記帳票リソースデータ加算手段によって１加算し、該加算したデータを、前記帳票リソースデータコピー公開手段によってクライアント装置からアクセス可能な場所にコピーし、該コピーデータのＵＲＩを、前記ＵＲＩデータ入替手段によって前記フォーム情報のＵＲＩデータと入れ替え、該ＵＲＩを入れ替えた帳票データを要求元の前記クライアント装置に、前記帳票データサーバ配信手段を用いて配信する。
【００２４】
前記クライアント装置の前記帳票配信サーバ要求手段によって前記サーバ装置に要求した帳票の配信を受けた前記クライアント装置は、該帳票を構成するフォーム情報群の解析を、前記フォーム情報群解析手段によって行い、該解析によって該帳票のフォーム情報群の或るフォーム情報のデータがＵＲＩであることが検知された際、前記ＵＲＩフォーム情報割愛手段によって該フォーム情報の処理を割愛し、データがＵＲＩではない該他のフォーム情報を前記フォーム情報ラスタライズ手段によってラスタライズする。更に、該ラスタライズデータに対する印刷指示があった際には、前記サーバ装置から配信された帳票を前記サーバ帳票データ出力手段を用いて出力装置に送信する。
【００２５】
前記クライアント装置から、前記帳票印刷クライアント要求受信手段によって帳票印刷の要求を受け取った前記出力装置は、前記クライアント帳票データ受信手段によって同クライアント装置から印刷データとして帳票データを受け取る。前記出力装置は、前記フォーム情報群解析手段によって該帳票データを構成するフォーム情報群の解析を行い、該フォーム情報群のいずれかに該データがＵＲＩであるフォーム情報が含まれている場合、該フォーム情報のＵＲＩデータが指し示すインターネット上の場所から、前記ＵＲＩ情報リソース取得手段によって該情報リソースを取得する。
【００２６】
前記出力装置のＵＲＩ情報リソース取得手段による前記サーバ装置の情報リソースへのアクセス時、前記サーバ装置は前記帳票リソースアクセス受信手段によって出力装置からの該アクセス要求を受け付け、前記コピー帳票リソースクライアント提供手段によって該アクセス先にあるデータをアクセス元の出力装置に渡し、その後、前記コピー帳票リソース削除手段によって該ＵＲＩの場所から該コピーデータを削除する。
【００２７】
前記サーバ装置から前記情報リソースを取得した前記出力装置は、該情報リソースを前記フォーム情報の実データとして、前記ＵＲＩフォーム情報置換手段により前記ＵＲＩデータと置き換え、前記フォーム情報ラスタライズ手段によって該フォーム情報および該他のフォーム情報をラスタライズし、ラスタライズデータを前記帳票ラスタライズデータ印刷手段によって印刷する。
【００２８】
以上の手続きにより、サーバ装置がクライアント装置に配信した帳票データをクライアント装置が印刷する回数を、サーバ装置側で制限することが可能になる。
【発明の効果】
【００２９】
本発明によれば、クライアントに配信した帳票が印刷された実回数をサーバ側で管理することが出来、かつ該帳票が印刷された実回数を反映させた通し番号を印刷時に帳票に付けることが出来るという効果がある。
【００３０】
また、クライアントに配信した帳票の印刷に必要な帳票部品のリソースをサーバ側で消去することが可能なので、クライアントに配信した帳票の再印刷をサーバ側で禁止することが出来るという効果がある。
【発明を実施するための最良の形態】
【００３１】
以下本発明を実施するための最良の形態を、実施例により詳しく説明する。
【実施例】
【００３２】
図１は本発明の第一の実施例を示すサーバコンピュータの構成を説明するブロック図である。
【００３３】
図において、１０００がサーバコンピュータであり、ＲＯＭ１０３に記憶されたプログラム等に基づいて処理を実行するＣＰＵ１０１を備え、システムバス１０４に接続される各デバイスを総括的に制御する。
【００３４】
１０２はＲＡＭであり、ＣＰＵ１０１の主メモリ，ワークエリア等として機能する。
【００３５】
１０３はＲＯＭであり、ＣＰＵ１０１の制御プログラムや各種データを記憶する。
【００３６】
１０５はキーボードコントローラ（ＫＢＣ）で、キーボード１０９や不図示のポインティングデバイスからのキー入力を制御する。
【００３７】
１０６はＣＲＴコントローラ（ＣＲＴＣ）で、ＣＲＴディスプレイ（ＣＲＴ）１１０の表示を制御する。
【００３８】
１１３はスピーカーコントローラ（ＳＰＣ）で、スピーカー１１４の音声再生を制御する。
【００３９】
１０７はディスクコントローラ（ＤＫＣ）で、ブートプログラム，図４、図５、図６、図１０、図１１のフローチャートで示されるような種々のプログラム、アプリケーション，フォントデータ，ユーザファイル，編集ファイル等を記憶するハードディスク（ＨＤ）１１１、フロッピー(登録商標)ディスク（ＦＤ）１１２等の外部メモリとのアクセスを制御する。
【００４０】
１０８はネットワークコントローラ（ＮＣ）で、所定のネットワークインタフェース１２１を介してネットワークに接続され、他のネットワーク機器との通信制御処理を実行する。
【００４１】
図２は本発明の実施例を示すクライアントコンピュータの構成を説明するブロック図である。
【００４２】
図において、２０００がクライアントコンピュータであり、ＲＯＭ２０３に記憶されたプログラム等に基づいて処理を実行するＣＰＵ２０１を備え、システムバス２０４に接続される各デバイスを総括的に制御する。
【００４３】
２０２はＲＡＭであり、ＣＰＵ２０１の主メモリ，ワークエリア等として機能する。
【００４４】
２０３はＲＯＭであり、ＣＰＵ２０１の制御プログラムや各種データを記憶する。
【００４５】
２０５はキーボードコントローラ（ＫＢＣ）で、キーボード２０９や不図示のポインティングデバイスからのキー入力を制御する。
【００４６】
２０６はＣＲＴコントローラ（ＣＲＴＣ）で、ＣＲＴディスプレイ（ＣＲＴ）２１０の表示を制御する。
【００４７】
２１３はスピーカーコントローラ（ＳＰＣ）で、スピーカー２１４の音声再生を制御する。
【００４８】
２０７はディスクコントローラ（ＤＫＣ）で、ブートプログラム，図７、図８、図１２のフローチャートで示されるようなプログラム，種々のアプリケーション，フォントデータ，ユーザファイル，編集ファイル等を記憶するハードディスク（ＨＤ）２１１、フロッピー(登録商標)ディスク（ＦＤ）２１２等の外部メモリとのアクセスを制御する。
【００４９】
２０８はネットワークコントローラ（ＮＣ）で、所定のネットワークインタフェース２２１を介してネットワークに接続され、他のネットワーク機器との通信制御処理を実行する。
【００５０】
図３は本発明の実施例を示すプリンタの構成を説明するブロック図である。
【００５１】
図において、３０００がプリンタであり、プリンタ３０００において、３０１はプリンタＣＰＵで、ＲＯＭ３０３のプログラム用ＲＯＭに記憶された制御プログラム等或いは外部メモリ３０６に記憶された制御プログラム等に基づいてシステムバス３０４に接続される各種のデバイスとのアクセスを総括的に制御し、印刷部インタフェース３０７を介して接続される印刷部（プリンタエンジン）３０８に出力情報としての画像信号を出力する。また、このＲＯＭ３０３のプログラムＲＯＭには、ＣＰＵ３０１の制御プログラム等を記憶する。ＲＯＭ３０３のフォント用ＲＯＭには、上記出力情報を生成する際に使用するフォントデータ等を記憶する。３１０はネットワークコントローラ（ＮＣ）で、所定のネットワークインタフェース３２１を介してネットワークに接続され、他のネットワーク機器との通信制御処理を実行する。３０２はＣＰＵ３０１の主メモリ、ワークエリア等として機能するＲＡＭで、図示しない増設ポートに接続されるオプションＲＡＭによりメモリ容量を拡張することができるように構成されている。なお、ＲＡＭ３０２は、出力情報展開領域、環境データ格納領域、ＮＶＲＡＭ等に用いられる。ディスクコントローラ（ＤＫＣ）３０５は、外部メモリ３０６およびハードディスク（ＨＤ）３１１へのアクセスを制御する。ＩＣカ−ド等の外部メモリ３０６は、オプションとして接続され、フォントデータ、エミュレ−ションプログラム、フォ−ムデータ等を記憶する。ハードディスク（ＨＤ）３１１は、図９、図１３のフローチャートで示されるようなプリンタ組み込みアプリケーションのプログラムや印刷データ等を記憶する。また、３０９は操作パネルで操作のためのスイッチおよびＬＥＤ表示器等が配されている。
【００５２】
このように構成された各システムにおける実施例を、図４〜図１３のフローチャートに従って説明する。
【００５３】
〔第一実施例〕
本実施例において、本発明の印刷システムは、サーバコンピュータ１０００、クライアントコンピュータ２０００から構成される。
【００５４】
図４はサーバコンピュータでの本発明の第一の実施例を示す帳票編集プログラムのフローチャートである。
【００５５】
本印刷システムの構成要素であるサーバコンピュータ１０００で動作する帳票編集プログラムにおいて、帳票ページに配置された各種帳票図形要素の中の帳票の通し番号を表示する帳票図形（帳票通し番号図形）が編集される際に、ユーザ指示により、該帳票図形のデータをハードディスク（ＨＤ）１１１上のファイル（帳票通し番号図形ファイル）に保存する（ステップＳ４−１）。
【００５６】
帳票編集プログラムは、前記帳票通し番号図形ファイルのインターネット上にある該サーバコンピュータでのＵＲＬを、前記保存された該帳票通し番号図形の代替データとして帳票ページに保存し（ステップＳ４−２）、
処理を終了する。
【００５７】
図５はサーバコンピュータでの本発明の第一の実施例を示す帳票配信プログラムのフローチャートである。
【００５８】
サーバコンピュータのＣＰＵ１０１は、サーバ管理者などの指示により、帳票配信プログラムを起動する。
【００５９】
起動された帳票配信プログラムは、各種初期化処理後、クライアントコンピュータからの帳票配信要求の待ち状態に遷移する（ステップＳ５−１）。
【００６０】
ステップＳ５−１において、帳票配信プログラムが、ネットワークインタフェース１２１を介して、クライアントコンピュータから帳票配信要求を受信した場合、クライアント要求の帳票をクライアントに配信し（ステップＳ５−２）、再び、ステップＳ５−１の帳票配信要求の待ち状態に遷移する。
【００６１】
図６はサーバコンピュータでの本発明の第一の実施例を示す帳票リソース提供プログラムのフローチャートである。
【００６２】
サーバコンピュータのＣＰＵ１０１は、帳票配信プログラムやサーバ管理者などの指示により、帳票リソース提供プログラムを起動する。
【００６３】
起動された帳票リソース提供プログラムは、各種初期化処理後、クライアントコンピュータによる帳票リソースアクセスの待ち状態に遷移する（ステップＳ６−１）。
【００６４】
ステップＳ６−１において、帳票リソース提供プログラムが、ネットワークインタフェース１２１を介して、クライアントコンピュータからのＵＲＬによるリソースアクセスを検知した場合、該ＵＲＬが指し示すサーバコンピュータ上のリソース位置にある帳票通し番号図形の通し番号データの値を１加算し（ステップＳ６−２）、該帳票通し番号図形のデータをクライアントコンピュータに渡し（ステップＳ６−３）、再び、ステップＳ６−１の帳票リソースアクセスの待ち状態に遷移する。
【００６５】
図７はクライアントコンピュータでの本発明の第一の実施例を示す帳票表示印刷プログラムのフローチャートである。
【００６６】
本印刷システムの構成要素であるクライアントコンピュータ２０００において、クライアントコンピュータのＣＰＵ２０１は、ユーザなどの指示により、帳票表示印刷プログラムを起動する。
【００６７】
起動された帳票リソース提供プログラムは、ユーザなどの指示により、サーバコンピュータに帳票配信の要求を送信する（ステップＳ７−１）。要求送信後、サーバコンピュータからのレスポンスを待つ状態に遷移する（ステップＳ７−２）。
【００６８】
ステップＳ７−２において、ネットワークインタフェース２２１を介して、サーバコンピュータからレスポンスデータを受信した場合、帳票リソース提供プログラムは、レスポンスデータである帳票ページに含まれる帳票図形データ群の解析をその定義順に行い（ステップＳ７−３）、ステップＳ７−３での解析時に、解析中の帳票図形データがＵＲＬである場合（ステップＳ７−４）、該ＵＲＬが指し示すインターネット上の場所から情報リソースを取得し（ステップＳ７−５）、取得した情報リソースを該帳票図形データとしてラスタライズする（ステップＳ７−６）。
【００６９】
また、ステップＳ７−４での帳票図形データの解析時に、該帳票図形データがＵＲＬでない場合には、ステップＳ７−６で、該帳票図形データに基づいてラスタライズする。
【００７０】
以下、該帳票ページの図形データ群を全て解析し終えるまで（ステップＳ７−７）、ステップＳ７−３からステップＳ７−７を繰り返す。
【００７１】
ステップＳ７−７で、該帳票ページの図形データ群を全て解析し終えた場合、これまでのステップでラスタライズされたデータを、ＣＲＴディスプレイ（ＣＲＴ）２１０に表示する（ステップＳ７−８）。
【００７２】
更に、ディスプレイ表示したデータの印刷指示をユーザから受けた場合には（ステップＳ７−９）、前記ラスタライズされたデータを印刷ジョブとしてプリンタ３０００に送信し（ステップＳ７−１０）、処理を終了する。
【００７３】
〔第二実施例〕
本実施例において、本発明の印刷システムは、サーバコンピュータ１０００、クライアントコンピュータ２０００、プリンタ３０００から構成される。尚、本実施例におけるサーバコンピュータ１０００の動作は、前記第一実施例の図４〜図６の説明に準じる。
【００７４】
図８はクライアントコンピュータでの本発明の第二の実施例を示す帳票表示印刷プログラムのフローチャートである。
【００７５】
本印刷システムの構成要素であるクライアントコンピュータ２０００において、クライアントコンピュータのＣＰＵ２０１は、ユーザなどの指示により、帳票表示印刷プログラムを起動する。
【００７６】
起動された帳票表示印刷プログラムは、ユーザなどの指示により、サーバコンピュータに帳票配信の要求を送信する（ステップＳ８−１）。
【００７７】
要求送信後、サーバコンピュータからのレスポンスを待つ状態に遷移する（ステップＳ８−２）。
【００７８】
ステップＳ８−２において、ネットワークインタフェース２２１を介して、サーバコンピュータからレスポンスデータを受信した場合、帳票表示印刷プログラムは、レスポンスデータである帳票ページに含まれる帳票図形データ群の解析をその定義順に行い（ステップＳ８−３）、ステップＳ８−３での解析時に、解析中の帳票図形データがＵＲＬである場合（ステップＳ８−４）、該帳票図形データの処理を割愛し、該帳票ページの図形データ群における次の帳票図形データの解析に移る。
【００７９】
また、ステップＳ８−４での帳票ページの解析時に、解析中の帳票図形データがＵＲＬでない場合には、該帳票図形データに基づいてラスタライズする（ステップＳ８−５）。
【００８０】
以下、該帳票ページの図形データ群を全て解析し終えるまで（ステップＳ８−６）、ステップＳ８−３からステップＳ８−６を繰り返す。
【００８１】
ステップＳ８−６で、該帳票ページの図形データ群を全て解析し終えた場合、これまでのステップでラスタライズされたデータを、ＣＲＴディスプレイ（ＣＲＴ）２１０に表示する（ステップＳ８−７）。
【００８２】
更に、ディスプレイ表示したデータの印刷指示をユーザから受けた場合には（ステップＳ８−８）、前記サーバコンピュータからのレスポンスデータを印刷ジョブとしてプリンタ３０００に送信し（ステップＳ８−９）、処理を終了する。
【００８３】
図９はプリンタでの本発明の第二の実施例を示す帳票印刷プログラムのフローチャートである。
【００８４】
本発明の印刷システムの構成要素であるプリンタ３０００において、ＣＰＵ３０１が、ネットワークインタフェース３２１を介して、クライアントコンピュータから帳票ページの印刷データを受信した場合、帳票印刷プログラムを起動する。
【００８５】
起動された帳票印刷プログラムは、印刷データである帳票ページに含まれる帳票図形データ群の解析をその定義順に行い（ステップＳ９−１）、ステップＳ９−１での解析時に、解析中の帳票図形データがＵＲＬである場合（ステップＳ９−２）、該ＵＲＬが指し示すインターネット上の場所から情報リソースを取得し（ステップＳ９−３）、取得した情報リソースを該帳票図形データとしてラスタライズする（ステップＳ９−４）。
【００８６】
また、ステップＳ９−２での帳票図形データの解析時に、該帳票図形データがＵＲＬでない場合には、ステップＳ９−４で、該帳票図形データに基づいてラスタライズする。
【００８７】
以下、該帳票ページの図形データ群を全て解析し終えるまで（ステップＳ９−５）、ステップＳ９−１からステップＳ９−５を繰り返す。
【００８８】
ステップＳ９−５で、該帳票ページの図形データ群を全て解析し終えた場合、これまでのステップでラスタライズされたデータを、画像信号として印刷部（プリンタエンジン）３０８に出力し（ステップＳ９−６）、処理を終了する。
【００８９】
〔第三実施例〕
本実施例において、本発明の印刷システムは、サーバコンピュータ１０００、クライアントコンピュータ２０００、プリンタ３０００から構成される。尚、本実施例におけるサーバコンピュータ１０００の帳票編集プログラムの動作は、前記第一実施例の図４の説明に準じる。
【００９０】
図１０はサーバコンピュータでの本発明の第三の実施例を示す帳票配信プログラムのフローチャートである。
【００９１】
サーバコンピュータのＣＰＵ１０１は、サーバ管理者などの指示により、帳票配信プログラムを起動する。
【００９２】
起動された帳票配信プログラムは、各種初期化処理後、クライアントコンピュータからの帳票配信要求の待ち状態に遷移する（ステップＳ１０−１）。
【００９３】
ステップＳ１０−１において、帳票配信プログラムが、ネットワークインタフェース１２１を介して、クライアントコンピュータから帳票配信要求を受信した場合、帳票配信プログラムは、クライアント要求により配信を行う予定の帳票ページに、該データがＵＲＬである帳票通し番号図形が含まれているかどうかを調べ（ステップＳ１０−２）、ステップＳ１０−２での検査時にＵＲＬのデータを持つ帳票通し番号図形が見つかった場合には、該ＵＲＬのデータが示すサーバのリソース位置にある帳票通し番号図形ファイルの通し番号データの値を１加算し（ステップＳ１０−３）、該加算したデータを持つ帳票通し番号図形ファイルを、クライアントからインターネットを介してアクセス可能な場所である帳票リソース提供フォルダにコピーし（ステップＳ１０−４）、コピーした該帳票通し番号図形ファイルのＵＲＬを、前記帳票ページの帳票通し番号図形のデータのＵＲＬと入れ替える（ステップＳ１０−５）。
【００９４】
ステップＳ１０−５でのＵＲＬデータ入れ替え後、もしくは、ステップＳ１０−２での検査時にＵＲＬのデータを持つ帳票通し番号図形が見つからなかった場合、該帳票ページのデータをクライアントに配信し（ステップＳ１０−６）、再び、ステップＳ１０−１の帳票配信要求の待ち状態に遷移する。
【００９５】
図１１はサーバコンピュータでの本発明の第三の実施例を示す帳票リソース提供プログラムのフローチャートである。
【００９６】
サーバコンピュータのＣＰＵ１０１は、帳票配信プログラムやサーバ管理者などの指示により、帳票リソース提供プログラムを起動する。
【００９７】
起動された帳票リソース提供プログラムは、各種初期化処理後、クライアントコンピュータによる帳票リソースアクセスの待ち状態に遷移する（ステップＳ１１−１）。
【００９８】
ステップＳ１１−１において、帳票リソース提供プログラムが、ネットワークインタフェース１２１を介して、クライアントコンピュータからの、前記ステップＳ１０−４で帳票リソース提供フォルダにコピーされた帳票通し番号図形ファイルへのリソースアクセスを検知した場合、該帳票通し番号図形のデータをクライアントコンピュータに渡し（ステップＳ１１−２）、該帳票通し番号図形ファイルを該帳票リソース提供フォルダから削除し（ステップＳ１１−３）、再び、ステップＳ１１−１の帳票リソースアクセスの待ち状態に遷移する。
【００９９】
図１２はクライアントコンピュータでの本発明の再印刷要求時の第三の実施例を示す帳票表示印刷プログラムのフローチャートである。
【０１００】
本印刷システムの構成要素であるクライアントコンピュータ２０００において、帳票表示印刷プログラムは、前記第一実施例で説明した図８のステップＳ８−８での印刷要求による、ステップＳ８−９でのプリンタ３０００へのレスポンスデータの送信後、更にディスプレイ表示したデータの再印刷要求をユーザから受けた場合（ステップＳ１２−１）、前記サーバコンピュータからのレスポンスデータを印刷ジョブとしてプリンタ３０００に送信し（ステップＳ１２−２）、処理を終了する。
【０１０１】
図１３はプリンタでの本発明の再印刷要求受信時の第三の実施例を示す帳票印刷プログラムのフローチャートである。
【０１０２】
本発明の印刷システムの構成要素であるプリンタ３０００において、帳票印刷プログラムが、ネットワークインタフェース３２１を介して、クライアントコンピュータから帳票ページの再印刷データを受信した場合（ステップＳ１３−１）、帳票印刷プログラムは、再印刷データである帳票ページに含まれる帳票図形データ群の解析をその定義順に行い（ステップＳ１３−２）、ステップＳ１３−２での解析時に、解析中の帳票図形データがＵＲＬである場合（ステップＳ１３−３）、該ＵＲＬが指し示すインターネット上の場所から情報リソースを取得する（ステップＳ１３−４）。
【０１０３】
ステップＳ１３−４での該ＵＲＬが指し示すインターネット上の場所からの情報リソースの取得が、前記サーバコンピュータでのステップＳ１１−３での帳票通し番号図形ファイルの削除によるデータの不在により失敗した場合（ステップＳ１３−５）、クライアントコンピュータにエラーを通知し（ステップＳ１３−６）、処理を終了する。
【０１０４】
尚、ステップＳ１３−３での解析時に、解析中の帳票図形データがＵＲＬである場合、もしくは、ステップＳ１３−５での情報リソースの取得に成功した場合には、前記ステップＳ９−５に処理を遷移する。
【図面の簡単な説明】
【０１０５】
【図１】本発明の一実施例を示すサーバコンピュータの制御構成を説明するブロック図である。
【図２】本発明の一実施例を示すプリンタの制御構成を説明するブロック図である。
【図３】本発明の一実施例を示すクライアントコンピュータの制御構成を説明するブロック図である。
【図４】本発明の第１の実施例のサーバコンピュータの帳票編集プログラムのフローチャートである。
【図５】本発明の第１の実施例のサーバコンピュータの帳票配信プログラムのフローチャートである。
【図６】本発明の第１の実施例のサーバコンピュータの帳票リソース提供プログラムのフローチャートである。
【図７】本発明の第１の実施例のクライアントコンピュータの帳票表示印刷プログラムのフローチャートである。
【図８】本発明の第２の実施例のクライアントコンピュータの帳票表示印刷プログラムのフローチャートである。
【図９】本発明の第２の実施例のプリンタの帳票印刷プログラムのフローチャートである。
【図１０】本発明の第３の実施例のサーバコンピュータの帳票配信プログラムのフローチャートである。
【図１１】本発明の第３の実施例のサーバコンピュータの帳票リソース提供プログラムのフローチャートである。
【図１２】本発明の第３の実施例のクライアントコンピュータの帳票表示印刷プログラムのフローチャートである。
【図１３】本発明の第３の実施例のプリンタの帳票印刷プログラムのフローチャートである。
【符号の説明】
【０１０６】
１０１    ＣＰＵ
１０２    ＲＡＭ
１０３    ＲＯＭ
１０４    システムバス
１０００    サーバコンピュータ
２０１    ＣＰＵ
２０２    ＲＡＭ
２０３    ＲＯＭ
２０４    システムバス
２０００    クライアントコンピュータ
３０１    ＣＰＵ
３０２    ＲＡＭ
３０３    ＲＯＭ
３０４    システムバス
３０００    プリンタ
【図１】
2006259989.tif 000003
【図２】
2006259989.tif 000004
【図３】
2006259989.tif 000005
【図４】
2006259989.tif 000006
【図５】
2006259989.tif 000007
【図６】
2006259989.tif 000008
【図７】
2006259989.tif 000009
【図８】
2006259989.tif 000010
【図９】
2006259989.tif 000011
【図１０】
2006259989.tif 000012
【図１１】
2006259989.tif 000013
【図１２】
2006259989.tif 000014
【図１３】
2006259989.tif 000015